【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
モジュール型データセンタシステムであって、
モジュール型データセンタシステムが完全に組み立てられたときに、モジュール型データセンタシステム内に位置するデータセンタ構成要素からの冷風または温風のうちの少なくとも１つを流すための複数のユニット構造と、
複数の装置ラックの上にある複数のユニット構造を床面に対して所望の高さで支持するための、複数の装置ラックから独立した複数の構造用支持柱と、
複数の平行で水平の間隔の空いたトラックを形成するために、前記所望の高さのところで複数の構造用支持柱に垂直に連結された複数の細長い支持レールであって、複数の構造用支持柱と複数の細長い支持レールとが、剛性支持構造を形成するために固定的に相互接続され、複数のユニット構造が、剛性支持構造上に設置され、互いに同一平面にあり、ＸとＹの両方の垂直方向に伸びた格子構造である、複数の細長い支持レールと、を備え、
ユニット構造の各々が複数の搬器組み立て体を含み、搬器組み立て体の各々が車輪を含み、
搬器組み立て体の車輪が、モジュール型データセンタ建築物を建設するときにユニット構造が複数の細長い支持レール上の所望の位置へと水平に運ばれることを可能にして、モジュール型データセンタ建築物の組み立てを促進するとともに、少なくとも一対のユニット構造が共通の縦軸に沿って互いと縦に一直線に位置付けられることを可能にする、モジュール型データセンタシステム。
【請求項２】
前記複数の細長いフレームレールの１つ１つが、細長いＬ字状の支持レールを含む、請求項１に記載のモジュール型データセンタシステム。
【請求項３】
各前記ユニット構造が、関連付けられた前記ユニット構造に構造的剛性を提供し、関連付けられた前記ユニット構造の一体部分を形成するためのフレームトラックを含む、請求項１に記載のモジュール型データセンタシステム。
【請求項４】
各前記搬器組み立て体が、
フレームトラックに動作可能に留められた１つの前記車輪を含み、車輪が、複数の細長い支持レールのうちの関連付けられた一方の上に乗るように構成されて、関連付けられた前記細長い支持レールより上にフレームトラックを支持しながら関連付けられた前記ユニット構造の回転運動を可能にする、請求項３に記載のモジュール型データセンタシステム。
【請求項５】
フレームトラックが、全体的に逆Ｕ字状のフレームトラックを含む、請求項３に記載のモジュール型データセンタシステム。
【請求項６】
各前記搬器組み立て体が、関連付けられた前記車輪を逆Ｕ字状のフレームトラックに取り付けるための逆Ｕ字状の車輪取り付けブラケットをさらに備える、請求項５に記載のモジュール型データセンタシステム。
【請求項７】
細長い支持レールの関連付けられた一方に沿った少なくとも１つの前記搬器組み立て体の少なくとも１つの前記車輪の回転運動を制限するための、細長い支持レールの一方に留められた少なくとも１つのベースプレートをさらに備える、請求項１に記載のモジュール型データセンタシステム。
【請求項８】
ユニット構造の１つ１つが、４つの搬器組み立て体を含む、請求項１に記載のモジュール型データセンタシステム。
【請求項９】
モジュール型データセンタシステムであって、
モジュール型データセンタシステムが完全に組み立てられたときに、モジュール型データセンタシステム内に位置するデータセンタ構成要素からの冷風または温風のうちの少なくとも１つを流すための複数のユニット構造と、
複数の装置ラックの上にある複数のユニット構造を床面に対して所望の高さで支持するための、複数の装置ラックから独立した複数の構造用支持柱と、
複数の平行で水平に間隔の空いたトラックを形成するために、前記所望の高さのところで複数の構造用支持柱に垂直に連結された複数の細長い支持レールであって、複数の構造用支持柱と複数の細長い支持レールとが、剛性支持構造を形成するために固定的に相互接続される、複数の細長い支持レールと、を備え、
複数のユニット構造が、剛性支持構造上に設置され、互いに同一平面にあり、ＸとＹの両方の垂直方向に伸びた格子構造であり、
各前記ユニット構造が、
複数の搬器組み立て体を含み、各前記搬器組み立て体が、車輪を含み、かつ搬器組み立て体の車輪がユニット構造の四隅の１つ１つに隣接して位置付けられるように構成されており、
搬器組み立て体の車輪が、モジュール型データセンタ建築物を建設するときにユニット構造が複数の細長い支持レール上の所望の位置へと水平に運ばれることを可能にするとともに、ユニット構造が共通の縦軸に沿って互いと縦に一直線に位置付けられることを可能にする、モジュール型データセンタシステム。
【請求項１０】
細長い支持レールの１つ１つが、Ｌ字状のレールを含む、請求項９に記載のシステム。
【請求項１１】
ユニット構造の各々が、ユニット構造の各々の一体的な構造的部分を形成する一対のフレームトラックを含む、請求項９に記載のシステム。
【請求項１２】
フレームトラックの各々が、逆Ｕ字状のフレームトラックを含む、請求項１１に記載のシステム。
【請求項１３】
各前記搬器組み立て体が、
フレームトラックのうちの関連付けられた１つに動作可能に留められた車輪のうちの１つを含み、車輪が、一対の細長い支持レールのうちの関連付けられた一方の上に乗るように構成されて、関連付けられた前記細長い支持レールより上に前記フレームトラックを支持しながら関連付けられた前記ユニット構造の回転運動を可能にし、
ユニット構造のフレームトラックが、互いに対して平行に配置され、
搬器組み立て体が、ユニット構造の各々の四隅に隣接する車輪を支持する、請求項１１に記載のシステム。
【請求項１４】
搬器組み立て体の各々が、逆Ｕ字状の車輪取り付けブラケットをさらに備え、車輪取り付けブラケットの１つ１つが、細長い支持レールのうちの関連付けられた一方に動作可能に連結されており、関連付けられた前記車輪を回転運動のために支持するように動作する、請求項９に記載のシステム。
【請求項１５】
車輪取り付けブラケットの第１の対および第２の対が、フレームトラックの長手方向の対向端に設けられる、請求項１４に記載のシステム。
【請求項１６】
搬器組み立て体の車輪の回転運動を制限するための、細長い支持レールのうちの一方に固定的に留められた少なくとも１つのベースプレートをさらに備える、請求項１５に記載のシステム。
【請求項１７】
モジュール型データセンタを形成するための方法であって、
モジュール型データセンタが完全に組み立てられたときに、モジュール型データセンタシステム内に位置するデータセンタ構成要素からの冷風または温風のうちの少なくとも１つを流すための複数のユニット構造を提供することと、
複数の装置ラックの上にある複数のユニット構造を床面に対して所望の高さで支持するための、複数の装置ラックから独立した複数の第１の構造用支持柱を設置することと、
２つの平行で水平の間隔の空いたトラックを形成するために、前記所望の高さのところで複数の第１の構造用支持柱に垂直に連結された一対の細長い支持レールであって、複数の構造用支持柱と一対の細長い支持レールとが、剛性支持構造を形成するために固定的に相互接続される、一対の細長い支持レールを設置することと、
複数のユニット構造を、剛性支持構造上で、互いに同一の平面上で、ＸとＹの両方の垂直方向に伸びた格子構造で設置することと、
ユニット構造の各々を細長い支持レール上に支持するために、各々が車輪を含む複数の搬器組み立て体を設置することと、
モジュール型データセンタを建設するときにユニット構造の各々を細長い支持レールに沿って一対の細長い支持レール上の所望の位置へと水平に運ぶために、搬器組み立て体の車輪を設置することであって、複数のユニット構造が、互いと縦に一直線に、かつ共通の縦軸に沿って位置付けられることができる、設置することと、を含む、方法。
【請求項１８】
複数の搬器組み立て体を使用する動作が、各ユニット構造に対して４つの搬器組み立て体を使用することを含む、請求項１７に記載の方法。
【請求項１９】
複数の搬器組み立て体を使用する動作が、別個の車輪を搬器組み立て体の１つ１つとともに使用することを含み、車輪の各々が細長の支持レールのうちの関連付けられた一方の上を回転する、請求項１８に記載の方法。
【請求項２０】
ユニット構造のうちの１つの回転運動を停止するために、細長い支持レールのうちの一方にベースプレートを留めることをさらに含む、請求項１９に記載の方法。